(57)【要約】【課題】通常時は照明光を斜め方向から照射し、必要時には照明光を対物光学系の光軸に近い角度で術野に照射することができる手術顕微鏡の照明構造を提供する。【解決手段】必要時には顕微鏡本体２の下面に補助照明装置１６を取付け、そのプリズム３０で補助照明光Ｂを反射して照明光Ａの照明角度θ１よりも小さい補助照明角度θ２で術野Ｇに向けて照射するため、深い穴状の術野Ｇの場合も底まで補助照明光Ｂを届かせやすい。【選択図】        図２
2019139123.tif 000002
【特許請求の範囲】
【請求項１】
手術顕微鏡が、メインドクター用の左右一対の接眼部を前側に有する顕微鏡本体に、顕微鏡本体の下面に形成され且つ術野から反射した光束を取り入れる光束取入口と、後側に照明光導入用の切欠部が形成され且つ光束取入口から取り入れられた光束のうち立体観察用の左右一対の光束が通過する１つの対物光学系と、対物光学系を通過した左右一対の光束がそのまま或いは反射されて通過すると共に倍率に応じて対物光学系を通過する光束の径を変化させる２つの変倍光学系とを備えた構造で、
顕微鏡本体の内部に導入された照明光を対物光学系の切欠部に設けられた光反射手段で反射し、該照明光を光反射手段から対物光学系の光軸に対して斜め方向の照明角度で術野に向けて照射する手術顕微鏡の照明構造であって、
前記顕微鏡本体の下面に後側から補助照明光を導入して前側に照射する補助照明装置が着脱自在に取付けられ、
該補助照明装置の前側には、対物光学系の下方において、平面視で対物光学系を通過する最大径状態の２本の光束と１つの切欠部により三方から囲まれた領域に位置する補助反射手段が支持手段により支持され、
該補助反射手段により補助照明光を反射して対物光学系の光軸に対して照明光の照明角度よりも小さい補助照明角度で術野に向けて照射自在であることを特徴とする手術顕微鏡の照明構造。
【請求項２】
補助照明装置が、顕微鏡本体の下面に着脱自在に取付けられる本体部と、本体部の前側に一体形成されて本体部の取付時に光束取入口に対応するリング部とから構成され、
リング部の左右両側の内面にそれぞれ中央側へ向けて延びる左右一対の支持手段が設けられ、該支持手段の先端間に補助反射手段が支持されていると共に、
左右一対の支持手段がそれぞれ長手方向に沿って細幅の金属板を縦に配置した構造であることを特徴とする請求項１記載の手術顕微鏡の照明構造。
【請求項３】
リング部の下側にカバーガラスを取付けると共に、該カバーガラスが対物光学系に対して斜めに配置され、カバーガラスを通過する照明光と補助照明光の反射光がそれぞれ対物光学系を外れた方向に指向することを特徴とする請求項１又は請求項２記載の手術顕微鏡の照明構造。
【発明の詳細な説明】
【技術分野】
【０００１】
本発明は手術顕微鏡の照明構造に関する。
【背景技術】
【０００２】
脳神経外科等において使用される手術顕微鏡は、術野から反射された光束を顕微鏡本体の下面に形成された光束取入口より内部に取り入れ、対物光学系及び変倍光学系を経て接眼部に導き、接眼部から術野の光学像を観察できるようになっている。
【０００３】
顕微鏡本体には外部から照明光が導入され、その照明光が顕微鏡本体の内部に設けられたミラーで反射されて術野へ照射される。照明光は対物光学系の光軸に対して所定の照明角度で斜め方向から術野に向け照射される。照明光が斜めのため術野に適度な影が生じ術野の立体的な観察が行える。
【先行技術文献】
【特許文献】
【０００４】
【特許文献１】特開２００９−１３６５７８号公報
【発明の概要】
【発明が解決しようとする課題】
【０００５】
しかしながらこのような関連技術にあっては、照明光を術野に対して斜めに照射することにより、術野に適度な影を生じさせて術野の立体感を把握することができるが、斜め方向のため例えば術野が深い穴状の場合は底まで照明光を届かせにくい。そのため必要時には照明光の照明角度を対物光学系の光軸に近づけて、照明光を術野の真上付近から照射したいという要請がある。
【０００６】
本発明は、このような関連技術に着目してなされたものであり、通常時は照明光を斜め方向から照射し、必要時には照明光を対物光学系の光軸に近い角度で術野に照射することができる手術顕微鏡の照明構造を提供することを目的としている。
【課題を解決するための手段】
【０００７】
本発明の第１の技術的側面によれば、手術顕微鏡が、メインドクター用の左右一対の接眼部を前側に有する顕微鏡本体に、顕微鏡本体の下面に形成され且つ術野から反射した光束を取り入れる光束取入口と、後側に照明光導入用の切欠部が形成され且つ光束取入口から取り入れられた光束のうち立体観察用の左右一対の光束が通過する１つの対物光学系と、対物光学系を通過した左右一対の光束がそのまま或いは反射されて通過すると共に倍率に応じて対物光学系を通過する光束の径を変化させる２つの変倍光学系とを備えた構造で、顕微鏡本体の内部に導入された照明光を対物光学系の切欠部に設けられた光反射手段で反射し、該照明光を光反射手段から対物光学系の光軸に対して斜め方向の照明角度で術野に向けて照射する手術顕微鏡の照明構造であって、前記顕微鏡本体の下面に後側から補助照明光を導入して前側に照射する補助照明装置が着脱自在に取付けられ、該補助照明装置の前側には、対物光学系の下方において、平面視で対物光学系を通過する最大径状態の２本の光束と１つの切欠部により三方から囲まれた領域に位置する補助反射手段が支持手段により支持され、該補助反射手段により補助照明光を反射して対物光学系の光軸に対して照明光の照明角度よりも小さい補助照明角度で術野に向けて照射自在であることを特徴とする。
【０００８】
本発明の第２の技術的側面によれば、補助照明装置が、顕微鏡本体の下面に着脱自在に取付けられる本体部と、本体部の前側に一体形成されて本体部の取付時に光束取入口に対応するリング部とから構成され、リング部の左右両側の内面にそれぞれ中央側へ向けて延びる左右一対の支持手段が設けられ、該支持手段の先端間に補助反射手段が支持されていると共に、左右一対の支持手段がそれぞれ長手方向に沿って細幅の金属板を縦に配置した構造であることを特徴とする。
【０００９】
本発明の第３の技術的側面によれば、リング部の下側にカバーガラスを取付けると共に、該カバーガラスが対物光学系に対して斜めに配置され、カバーガラスを通過する照明光と補助照明光の反射光がそれぞれ対物光学系を外れた方向に指向することを特徴とする。
【発明の効果】
【００１０】
本発明の第１の技術的側面によれば、必要時には顕微鏡本体の下面に補助照明装置を取付け、その補助反射手段で補助照明光を反射して照明光の照明角度よりも小さい補助照明角度で術野に向けて照射するため、深い穴状の術野の場合も底まで補助照明光を届かせやすい。補助反射手段は、最大径状態の２本の光束と１つの切欠部により三方から囲まれた領域に位置するため、光束取入口から取り入れる術野からの反射光や、照明光と干渉しにくい。
【００１１】
本発明の第２の技術的側面によれば、補助照明装置の光束取入口に対応する部分がリング部のため、取り入れる反射光や照射する照明光と干渉しない。支持手段は対物光学系を通過する光束の大きさによっては干渉するおそれがあるが、細幅の金属板を縦に配置した構造であるため、金属板の厚さ分しか影響せず、影響は最小限である。
【００１２】
本発明の第３の技術的側面によれば、カバーガラスが斜めに配置され、カバーガラスを通過する照明光と補助照明光の反射光がそれぞれ対物光学系を外れた方向に指向するため、それら反射光が対物光学系を通じて内部の観察用光学系に侵入することがない。
【図面の簡単な説明】
【００１３】
【図１】手術顕微鏡と補助照明装置を示す側面図。
【図２】手術顕微鏡を示す断面図。
【図３】補助照明装置を示す斜視図。
【図４】図３中矢示ＤＡ部分を示す拡大図。
【図５】対物光学系を示す平面図。
【図６】補助照明装置を取付けた状態の図１中矢示ＳＡ−ＳＡ方向から見た断面図。
【図７】照明光及び補助照明光の光路を示す拡大図。
【図８】カバーガラスの反射光を示す拡大図。
【発明を実施するための形態】
【００１４】
本発明の好適な実施形態を図１〜図８に基づいて説明する。
【００１５】
以上及び以下の説明において前後方向は図１中に示された通りである。
【００１６】
手術顕微鏡１は、手術室内において、図示せぬスタンド装置のアームに支持されている。手術顕微鏡１は、顕微鏡本体２の前側に接眼部３を有する立体顕微鏡で、内部には垂直方向に対物光学系４、５が設置され、水平方向に変倍光学系６が設置されている。対物光学系４、５は焦点調整のために上下方向で二組に分かれている。
【００１７】
顕微鏡本体２の下面には光束取入口７が形成されている。光束取入口７の下方には、対物光学系４、５の光軸Ｋ上に位置する術野Ｇがあり、この術野Ｇから反射された光束Ｌを光軸Ｋに沿って光束取入口７より顕微鏡本体２の内部に取り入れている。
【００１８】
光束取入口７から取り入れられて対物光学系４、５を経た光束Ｌは左右２つのプリズム８を介して左右一対の変倍光学系６に導かれる。変倍光学系６を経た光は、左右にある上下２組のプリズム９、１０を介して接眼部３側に折り返され、メインドクターは接眼部３から術野Ｇの光学像を立体的に観察することができる。
【００１９】
顕微鏡本体２の後面には外部光源装置からの照明光Ａが伝送される光ファイバー１１が接続される。光ファイバー１１からの照明光Ａは顕微鏡本体２の内部光路に設けられたレンズ１２やミラー（光反射手段）１３を経て照射口１４から術野Ｇに向けて照射される。
【００２０】
下側の対物光学系４の後側には遮光板により円弧状に切欠れた切欠部１５が形成されている。照明光Ａ用のミラー１３はこの切欠部１５に設けられ、照明光Ａはこの切欠部１５を通過して照射口１４より照射される。照明光Ａは対物光学系４、５の光軸Ｋに対して所定の照明角度θ１で斜め方向から術野Ｇに対して照射される。
【００２１】
照明光Ａが対物光学系４、５の光軸Ｋに対して所定の照明角度θ１で斜め方向から術野Ｇに向け照射されるため、術野Ｇに適度な影が生じ術野Ｇの立体的な観察が行える。
【００２２】
術野Ｇが深い穴状の場合で、その底まで照明を届けたい場合には、補助照明装置１６を顕微鏡本体２の下面に取付ける。補助照明装置１６は、顕微鏡本体２の下面に着脱自在に取付けられる本体部１７と、本体部１７の前側に一体形成されたリング部１８とから構成されている。
【００２３】
顕微鏡本体２の下面にはアリ溝１９が形成され、本体部１７の上面にはそれに対応するアリ型２０が形成されている。補助照明装置１６を手術顕微鏡１の前側からスライドさせて、アリ型２０をアリ溝１９に係合させる。アリ溝１９の側方に螺合されている固定ピン２１でアリ溝１９とアリ型２０の係合状態を固定することにより、補助照明装置１６が手術顕微鏡１に取付けられた状態となる。
【００２４】
補助照明装置１６は手術顕微鏡１に取付けられた状態で、リング部１８が光束取入口７及び照射口１４に対応する。リング部１８の下部は後方が下がった斜め状態で、その外面にはネジ部２２が形成されている。ネジ部２２には下方からキャップ２３が螺合され、キャップ２３にはカバーガラス２４が設けられている。キャップ２３がリング部１８に取付けられた状態で、カバーガラス２４は水平に対して前方が角度θ３だけ上がった状態となる。
【００２５】
本体部１７は中央に貫通孔２５が形成され、貫通孔２５の内部にはレンズ２６が設けられている。貫通孔２５の後端には細径の光ファイバー２７が挿入され、貫通孔２５内に補助照明光Ｂを供給することができる。貫通孔２５の前端はリング部１８側に開口しており、レンズ２６を通過した補助照明光Ｂはそこからリング部１８内に向けて照射される。
【００２６】
リング部１８の左右両側の内面にはそれぞれ中央側へ向けて延びる左右一対の金属板（支持手段）２８が設けられている。金属板２８は長手方向に沿って細幅で縦に配置された状態で設けられている。金属板２８の先端部２９は前方へ曲折しており、更にその先端は幅が狭くなっていて、その間に三角形状のプリズム（補助反射手段）３０が取付けられている。
【００２７】
このプリズム３０は平面視で対物光学系４、５を通過する２本の光束Ｌと、１つの切欠部１５により三方から囲まれた領域に位置している。光束Ｌの径は変倍光学系６の作用より変化するが、光束Ｌが最大径の場合でも干渉しない領域にプリズム３０は位置している。
【００２８】
補助照明装置１６の本体部１７から前方に照射された補助照明光Ｂは、このプリズム３０により術野Ｇに向けて反射される。プリズム３０の位置から反射された補助照明光Ｂは対物光学系４、５の光軸Ｋに対して照明光Ａの照明角度θ１よりも小さい補助照明角度θ２で術野Ｇに向けて照射される。
【００２９】
照明角度θ１の照明光Ａに加えて、この小さい補助照明角度θ２の補助照明光Ｂが術野Ｇに照射されるため、術野Ｇが深い穴状の場合であっても補助照明光Ｂだけはその底まで届き、術野Ｇの内部を確認しやすい。
【００３０】
プリズム３０は前述の領域に位置するため、光束取入口７から取り入れる術野Ｇからの反射光や、ミラー１３から反射される照明光Ａと干渉しにくい。
【００３１】
また補助照明装置１６の光束取入口７に対応する部分がリング部１８のため、取り入れる反射光や照射する照明光Ａと干渉しない。
【００３２】
また金属板２８は対物光学系４、５を通過する光束Ｌの大きさによっては干渉するおそれがあるが、細幅のものを縦に配置した構造であるため、金属板２８の厚さ分しか影響せず、影響は最小限である。
【００３３】
そしてカバーガラス２４が角度θ３で斜めに配置されているため、カバーガラス２４を通過する照明光Ａと補助照明光Ｂの各反射光ａ、ｂが対物光学系４、５を外れた方向に指向するため、それら反射光ａ、ｂが対物光学系４、５を通じて内部の観察用光学系に侵入することがない。
【００３４】
この実施形態によれば、以上説明したように、必要時には顕微鏡本体２の下面に補助照明装置１６を取付け、そのプリズム３０で補助照明光Ｂを反射して照明光Ａの照明角度θ１よりも小さい補助照明角度θ２で術野Ｇに向けて照射するため、深い穴状の術野Ｇの場合も底まで補助照明光Ｂを届かせやすい。
【符号の説明】
【００３５】
１  手術顕微鏡
２  顕微鏡本体
４、５  対物光学系
６  変倍光学系
７  光束取入口
１３  ミラー（光反射手段）
１５  切欠部
１６  補助照明装置
１７  本体部
１８  リング部
２４  カバーガラス
２８  金属板（支持手段）
３０  プリズム（補助反射手段）
Ａ  照明光
Ｂ  補助照明光
ａ  反射光
ｂ  反射光
Ｌ  光束
Ｇ  術野
Ｋ  光軸
θ１  照明角度
θ２  補助照明角度
θ３  カバーガラスの角度
【図１】
2019139123.tif 000003
【図２】
2019139123.tif 000004
【図３】
2019139123.tif 000005
【図４】
2019139123.tif 000006
【図５】
2019139123.tif 000007
【図６】
2019139123.tif 000008
【図７】
2019139123.tif 000009
【図８】
2019139123.tif 000010